(57)【要約】【課題】  本発明はキー差し込み部を出して使えるキーケースを提供する。【解決手段】  キーを入れる袋状の収納体、キー差し込み部の通る下部湾曲部、キー差し込  み部先端の出る下部開口部、キーを収納出来る上部開口部に、上方部を結合するための留め具を取り付け、留め具に押し込み金具を挟む事により、押し込み金具を下に下げるとキー差し込み部先端は下部湾曲部に導かれ下に下がる事により下部開口部よりでる、キー差し込み部先端が出て来たのを手の指先で引っ張ると下部湾曲部によってキー頭が固定され、握り易くなる事により、安定して使用出来るのを特徴とするキー収納体。【選択図】    図１
2017086367.tif 000002
【特許請求の範囲】
【請求項１】
キー（５）が収納される袋状の収納体（２）と、前記収納体（２）に形成され、キー（５）を上から挿入するための上部開口部（２１）とキー（５）の差し込み部（５３）が出る下部開口部（２２）と、前記収納体（２）にキー（５）を収納するための収納体（２）の上方部を閉じるための留め具（３）と、上下摺動可能に挟まれる押し込み金具（４）を備え、押し込み金具（４）を下に下げる事で、キー（５）の頭の先端（５１１）に押し込み金具（４）が当たり、下に下げる事により、前記下部開口部（２２）よりキー（５）の差し込み部（５３）を外部に出して、キー（５）を使用できるようにした、ことを特徴とするキー収納体。
【請求項２】
前記下部開口部（２２）は、キー（５）ストッパー（５２）の幅に応じた  幅寸法に形成され、前記下部開口部（２２）の左右両端に下部湾曲部（２３）が形成される、ことを特徴とする請求項１に記載のキー収納体。
【発明の詳細な説明】
【技術分野】
【０００１】
本発明は袋状の収納体からなる、キーを出さずに使えるキー収納体に関する。
【背景技術】
【０００２】
従来のキーは両開きの革製のキーケースや、リング状のキーホルダーのフックにより保持されている。ワンタッチで取り出せる物として収納体にキーを固定したり、スライド部をスライドさせてキーの出し入れを行っていた。
【先行技術文献】
【特許文献】
【０００３】
【特許文献１】実開昭６３−１２３１３１
【特許文献２】実開平０１−０５１４２３
【発明の概要】
【発明が解決しようとする課題】
【０００４】
従来は、次のような欠点があった。
キーなどは財布や鞄やポケットに入れていると無くしたり、取り出しにくい等、様々なキーをキーホルダーなどに付けていると、捜すのが大変であった。キーの取り出し式はスライド式や旋回式では製作費用が掛かっていた。又、キーには色々の大きさや長さがあるため製作が難しかった。
本発明は以上のような課題を解決することを目的とする。
【課題を解決するための手段】
【０００５】
キー（５）が収納される袋状の収納体（２）と、前記収納体（２）に形成され、キー（５）を上から挿入するための上部開口部（２１）とキー（５）    の差し込み部（５３）が出る下部開口部（２２）と、前記収納体（２）へキー（５）を収納するための収納体（２）の上方部を閉じるための留め具（３）と上下摺動可能に挟まれる押し込み金具（４）を備え、押し込み金具（４）を下に下げる事で、キー（５）の頭の先端（５１１）に押し込み金具（４）が当たり、下に下げる事により、前記下部開口部（２２）よりキーの差し込み部（５３）を外部に出して、キー（５）を使用できるようにした、ことを特徴とするキー収納体。
【０００６】
前記下部開口部（２２）は、キー(５)ストッパー（５２）部の幅に応じた幅寸法に形成され、前記下部開口部（２２）の左右両端に下部湾曲部（２３）が形成される、ことを特徴とするキー収納体。
【発明の効果】
【０００７】
（イ）キーケースは袋状の収納体からなるキーケースで、形状や材質、デザイン等は適宜変更可能である。
（ロ）キーが収納される袋状の収納体の上部に開口部を備え、上方部を結合するための、留め具を取り付けることで中のキーは外に出ない。
（ハ）キーケースの留め具に押し込み金具を挟む事により、壁に掛けたり、クサリやキーホルダなどに取り付けることが出来る。
（ニ）留め具に挟んだ、押し込み金具を下に下げる事により、キー頭の先端が押し込み金具に押され下に下がり、下部開口部より出たキー差し込み部先端を、手の指先で引っ張る事によりキーが使用出来る。
（ホ）キーの大きさ、長さ等が色々あるが、リングや長方形などの押し込み金具の大きさを変える事により、色々のサイズのキーが使用出来る。
（へ）キー差し込み部が下部開口部より出るため、キーを出さずに使える。
（ト）又、キーケースの、下部にキーストッパーの幅に応じた幅寸法を形成する下部開口部を設ける事により、収納体が錠の先端部に当たらない。
（チ）キーケースの下部の左右両端を湾曲に形成する事で下部開口部へキーが導かれキー差し込み部先端が出やすい。
（リ）下部開口部の左右両端に下部湾曲部が形成されているため、キー頭が下部湾曲によって固定され、握り易く成る事により、安定して錠の開閉ができる。  
【図面の簡単な説明】
【０００８】
【図１】本件発明のキー収納時の正面図
【図２】本件発明のキー取り出し時の正面図
【図３】本件発明のキー使用時の正面図
【発明を実施するための形態】
【０００９】
図１,２,３に示す、キー（５）が収納される袋状の収納体（２）と、前記収    納体（２）に形成され、キー（５）を上から挿入するための上部開口部（２）とキー（５）の差し込み部（５３）が出る下部開口部（２２）と、前    記収納体（２）へキー（５）を収納するための収納体（２）の上方部を閉じるための留め具（３）と上下摺動可能に挟まれる押し込み金具（４）を    備え、押し込み金具（４）を下に下げる事で、キー（５）の頭の先端（５１１）に押し込み金具（４）が当たり、下に下げる事により、前記下部開口部（２２）よりキーの差し込み部（５３）を外部に出して、キー（５）を使用できるようにした。
【００１０】
前記下部開口部（２２）は、キー（５）ストッパー（５２）部の幅に応じた幅寸法に形成され、前記下部開口部（２２）の左右両端に下部湾曲部（２３）が形成する。
【００１１】
（イ)  キーケースは袋状の収納体(２)からなるキーケースで、形状や材質、  デザイン等は適宜変更可能である。
（ロ）キーを収納する袋状の収納体（２)に上部開口部（２１）を設け、キー（４）を収納するための上部の収納体（２）の上方部を結合するための留め具(３)を備える事で、キー(５)は袋状の収納体(２)より出ない。
（ハ）キー（５）の差し込み部（５３）が出る袋状の収納体（２)に下部開口部（２２）を設け、キー（５）ストッパー(５２)の幅に応じた幅寸法に形成された、下部開口部(２２)を設ける事により収納体(２)が錠の先端に当たらない。
（ニ）キー（５）を収納する袋状の収納体（２)の下部開口部(２２)の左右両端に下部湾曲部(２３)を形成する。
（ホ）キー（５）を収納する袋状の収納体(２)の上部開口部(２１)の上方部に設けた留め具(３)に、押し込み金具(４)を挟む事により押し込み金具(４)を壁に掛けたり、クサリやキーホルダに付ける事が出来る。
（ヘ）キー（５）を収納する袋状の収納体(２)の上部開口部(２１)の上方部に設けた留め具(３)に、挟んだ押し込み金具(４)を下に下げる事により袋状の収納体(２)の中のキー（５）頭の先端(５１１)が押し込み金具(４)によって下に下がる。
（ト）押し込み金具(４)によって下に下がったキー（５）差し込み部先端(５３１)は下部開口部(２２)の左右両端に設けた下部湾曲部(２３)によって下部開口部(２２)へと導かれる。
（チ）導かれたキー（５）差し込み部先端(５３１)は下部開口部(２２)より出たキー（５）差し込み部先端(５３１)を手の指先で引っ張り出すことにより、下部湾曲部(２３)が形成されているためキー(５)が下部湾曲部(２３)により、キー（５）の頭（５１）が固定され握り易くなる事により、安定して錠の開閉が出来る。
（リ）キー(５)には大きさ、長さ等が色々あるが、リングや長方形などの押し込み金具(４)の大きさを変える事により、色々のサイズのキー(５)が使用出来る。
本発明はキー（５）差し込み部（５３）を出して使えるキーケース。
【符号の説明】
【００１２】
１    キー収納体
２    収納体
２１    上部開口部
２２    下部開口部
２３    下部湾曲部
２４  縫い目
３    留め具
４    押し込み金具
５    キー  
５１    頭
５１１  頭の先端
５２  ストッパー
５３  差し込み部
５３１  差し込み部先端
【図１】
2017086367.tif 000003
【図２】
2017086367.tif 000004
【図３】
2017086367.tif 000005